(57)【特許請求の範囲】
【請求項１】
パンツタイプの吸収性物品であって、
上端に胴部開口を有し、下部に一対の脚部開口を有する外装シートと、
前記外装シートの内面上に取り付けられた吸収体と、
を備え、
前記外装シートが、
前方部と、
両側端が前記前方部の両側端と接続される後方部と、
前記前方部および前記後方部から連続する股下部と、
前記胴部開口のエッジに沿うとともに前記吸収体の上端よりも上側に位置する胴周り領域にて前記前方部および前記後方部に接合されるとともに収縮することにより胴部開口ギャザーを形成する胴部弾性部材と、
前記一対の脚部開口のエッジに沿って前記股下部に接合されるとともに収縮することにより一対の脚部開口ギャザーを形成する脚部弾性部材と、
前記胴部弾性部材と前記脚部弾性部材との上下方向における間にて前記前方部および前記後方部に接合されるとともに収縮することにより中間ギャザーを形成する中間弾性部材と、
を備え、
前記胴部弾性部材が、
前記胴周り領域の上部であり、２層のシート部材が積層されている第１胴周り領域において、前記２層のシート部材の間に前記胴部開口の前記エッジに略平行に接合される第１胴部弾性部材と、
前記胴周り領域における前記第１胴周り領域の下側の領域であり、３層以上のシート部材が積層されている第２胴周り領域において、前記第１胴部弾性部材に略平行にシート部材の間に接合される第２胴部弾性部材と、
を備え、
前記３層以上のシート部材のうち、前記第２胴部弾性部材の少なくとも一部が直接接合される１枚のシート部材の左右方向の剛軟度が、４５°カンチレバー法において幅２０ｍｍ長さ１５０ｍｍの試験片の場合に８０ｍｍ以下であることを特徴とする吸収性物品。
【請求項２】
請求項１に記載の吸収性物品であって、
前記１枚のシート部材の前記左右方向の剛軟度と、前記上下方向の同条件下の剛軟度との合計が、１３０ｍｍ以下であることを特徴とする吸収性物品。
【請求項３】
請求項１または２に記載の吸収性物品であって、
前記第２胴部弾性部材の前記少なくとも一部が直接接合される他の１枚のシート部材の前記左右方向の同条件下の剛軟度も８０ｍｍ以下であることを特徴とする吸収性物品。
【請求項４】
請求項３に記載の吸収性物品であって、
前記他の１枚のシート部材の前記左右方向の剛軟度と、前記上下方向の同条件下の剛軟度との合計が、１３０ｍｍ以下であることを特徴とする吸収性物品。
【請求項５】
請求項１ないし４のいずれかに記載の吸収性物品であって、
前記１枚のシート部材の前記上下方向における引っ張り強度が１．６Ｎ／ｃｍ以上であることを特徴とする吸収性物品。
【請求項６】
請求項５に記載の吸収性物品であって、
前記第２胴部弾性部材の前記少なくとも一部が直接接合される他の１枚のシート部材の前記上下方向における引っ張り強度が１．６Ｎ／ｃｍ以上であることを特徴とする吸収性物品。
【請求項７】
請求項１ないし６のいずれかに記載の吸収性物品であって、
前記胴周り領域が、前記吸収体の上端よりも上側に位置することを特徴とする吸収性物品。
【請求項８】
請求項１ないし７のいずれかに記載の吸収性物品であって、
前記胴周り領域の前記上下方向の幅が、５０ｍｍ以下であることを特徴とする吸収性物品。
【請求項９】
請求項１ないし８のいずれかに記載の吸収性物品であって、
前記外装シートが、前記胴部開口の前記エッジにて着用者側に折り返される折り返し部を備え、
前記外装シートの前記折り返し部に対向する部位と前記折り返し部との間に、前記第１胴部弾性部材が接合されることを特徴とする吸収性物品。
【請求項１０】
請求項９に記載の吸収性物品であって、
前記折り返し部の下端部が、前記第２胴周り領域の前記３層以上のシート部材に含まれることを特徴とする吸収性物品。
【請求項１１】
請求項１ないし１０のいずれかに記載の吸収性物品であって、
前記第１胴周り領域の前記上下方向の幅が、前記胴周り領域の前記上下方向の幅の半分以上であることを特徴とする吸収性物品。
【請求項１２】
請求項１ないし１１のいずれかに記載の吸収性物品であって、
前記第２胴部弾性部材が複数の弾性糸を含み、
前記複数の弾性糸のうち少なくとも一部の弾性糸が、前記第２胴周り領域の前記３層以上のシート部材のうち最外層のシート部材と前記最外層のシート部材に対向するシート部材との間に配置されることを特徴とする吸収性物品。
【請求項１３】
請求項１２に記載の吸収性物品であって、
前記複数の弾性糸のうち他の一部の弾性糸が、前記第２胴周り領域の前記３層以上のシート部材のうち前記最外層のシート部材を除く２層のシート部材の間に配置されることを特徴とする吸収性物品。
【請求項１４】
請求項１ないし１１のいずれかに記載の吸収性物品であって、
前記第２胴部弾性部材が、前記第２胴周り領域の前記３層以上のシート部材のうち最外層のシート部材を除く２層のシート部材の間に配置され、
前記第２胴周り領域において、前記最外層のシート部材と前記最外層のシート部材に対向するシート部材との間が非接合であり、
前記胴周り領域の下方において、前記中間弾性部材の少なくとも上端部が、前記最外層のシート部材と前記最外層のシート部材に対向する前記シート部材との間に配置されて接合され、
前記第２胴部弾性部材の下端と前記中間弾性部材の上端との間の前記上下方向の距離が３０ｍｍ以下であることを特徴とする吸収性物品。
【請求項１５】
請求項１ないし１１のいずれかに記載の吸収性物品であって、
前記第２胴周り領域の前記３層以上のシート部材が、
最外層のシート部材と、
最内層のシート部材と、
前記最外層のシート部材と前記最内層のシート部材との間に挟まれるとともに上端の前記上下方向の位置が互いに異なる２層のシート部材と、
を備え、
前記第２胴部弾性部材が複数の弾性糸を含み、
前記複数の弾性糸のうち一部の弾性糸が、前記最外層のシート部材および前記最内層のシート部材のうちの一方のシート部材と、前記２層のシート部材の一方との間に配置され、
前記複数の弾性糸のうち他の一部の弾性糸が、前記一方のシート部材と、前記２層のシート部材の他方との間に配置されることを特徴とする吸収性物品。
【発明の詳細な説明】
【技術分野】
【０００１】
本発明は、吸収性物品に関する。
【背景技術】
【０００２】
従来より、着用者からの排泄物を受ける吸収性物品の１つとして、上端に胴部開口を有するとともに下部に一対の脚部開口を有するパンツタイプの使い捨ておむつが利用されている。パンツタイプの使い捨ておむつでは、着用者の腹側および背側に位置する前方部および後方部に、胴部開口のエッジに沿う胴部弾性部材が設けられる。また、前方部および後方部の間に位置する股下部に、一対の脚部開口のエッジに沿う脚部弾性部材が設けられる。前方部および後方部には、さらに、上下方向において胴部弾性部材と脚部弾性部材との間に配置される中間弾性部材が設けられる。
【０００３】
特許文献１のパンツタイプの使い捨ておむつでは、おむつ本体が、内層シートと外層シートとを備え、内層シートと外層シートとの間には、ウエストギャザー形成用弾性部材やボディギャザー形成用弾性部材が伸張状態で接合される。また、おむつ本体の内側には吸収体が接合され、吸収体の長手方向両端部は、ボディギャザー形成用弾性部材が設けられる領域において、エンド押さえシートにより被覆される。特許文献１の使い捨ておむつでは、腹部周りの湿気が外部に抜けやすくなるように、ボディギャザー形成用弾性部材が設けられる領域において、エンド押さえシートの上側に、内層シートと外層シートとからなる２層領域が設けられる。
【０００４】
特許文献２のパンツタイプの使い捨ておむつでは、ウエスト周り開口部に弾性リボンが取り付けられる。弾性リボンは、伸縮弾性部材を挟み込むように不織布を二つ折りにすることにより形成される。弾性リボンは、二つ折りにされた不織布の端部の非接合部において、吸収性本体と外装部材との積層体の長手方向両端部を挟むようにして接合される。
【先行技術文献】
【特許文献】
【０００５】
【特許文献１】特開平９−３８１３３号公報
【特許文献２】特開２００６−２４７００９号公報
【発明の概要】
【発明が解決しようとする課題】
【０００６】
ところで、パンツタイプの使い捨ておむつを装着する際には、通常、脚部開口に脚を挿入した後、胴部開口近傍の部位を掴んで使い捨ておむつを引っ張り上げる。しかしながら、特許文献１の使い捨ておむつでは、外層シートが折り返された部位のみにウエストギャザー形成用弾性部材が設けられており、外層シートの折り返し部と内層シートとの接合部には弾性部材が設けられていないため、使い捨ておむつを引っ張り上げる際に、外層シートの折り返し部と内層シートとが剥離したり、接合部近傍の部位が破損してしまうおそれがある。また、特許文献２の使い捨ておむつでは、使い捨ておむつを引っ張り上げる際に、弾性リボンが吸収性本体および外装部材から外れてしまうおそれがある。
【０００７】
本発明は、上記課題に鑑みなされたものであり、胴周り領域の上部の通気性を良くするとともに、胴周り領域における外装シートの破損を抑制することを目的としている。
【課題を解決するための手段】
【０００８】
請求項１に記載の発明は、パンツタイプの吸収性物品であって、上端に胴部開口を有し、下部に一対の脚部開口を有する外装シートと、前記外装シートの内面上に取り付けられた吸収体とを備え、前記外装シートが、前方部と、両側端が前記前方部の両側端と接続される後方部と、前記前方部および前記後方部から連続する股下部と、前記胴部開口のエッジに沿うとともに前記吸収体の上端よりも上側に位置する胴周り領域にて前記前方部および前記後方部に接合されるとともに収縮することにより胴部開口ギャザーを形成する胴部弾性部材と、前記一対の脚部開口のエッジに沿って前記股下部に接合されるとともに収縮することにより一対の脚部開口ギャザーを形成する脚部弾性部材と、前記胴部弾性部材と前記脚部弾性部材との上下方向における間にて前記前方部および前記後方部に接合されるとともに収縮することにより中間ギャザーを形成する中間弾性部材とを備え、前記胴部弾性部材が、前記胴周り領域の上部であり、２層のシート部材が積層されている第１胴周り領域において、前記２層のシート部材の間に前記胴部開口の前記エッジに略平行に接合される第１胴部弾性部材と、前記胴周り領域における前記第１胴周り領域の下側の領域であり、３層以上のシート部材が積層されている第２胴周り領域において、前記第１胴部弾性部材に略平行にシート部材の間に接合される第２胴部弾性部材とを備え、前記３層以上のシート部材のうち、前記第２胴部弾性部材の少なくとも一部が直接接合される１枚のシート部材の左右方向の剛軟度が、４５°カンチレバー法において幅２０ｍｍ長さ１５０ｍｍの試験片の場合に８０ｍｍ以下である。
【０００９】
請求項２に記載の発明は、請求項１に記載の吸収性物品であって、前記１枚のシート部材の前記左右方向の剛軟度と、前記上下方向の同条件下の剛軟度との合計が、１３０ｍｍ以下である。
【００１０】
請求項３に記載の発明は、請求項１または２に記載の吸収性物品であって、前記第２胴部弾性部材の前記少なくとも一部が直接接合される他の１枚のシート部材の前記左右方向の同条件下の剛軟度も８０ｍｍ以下である。
【００１１】
請求項４に記載の発明は、請求項３に記載の吸収性物品であって、前記他の１枚のシート部材の前記左右方向の剛軟度と、前記上下方向の同条件下の剛軟度との合計が、１３０ｍｍ以下である。
【００１２】
請求項５に記載の発明は、請求項１ないし４のいずれかに記載の吸収性物品であって、前記１枚のシート部材の前記上下方向における引っ張り強度が１．６Ｎ／ｃｍ以上である。
【００１３】
請求項６に記載の発明は、請求項５に記載の吸収性物品であって、前記第２胴部弾性部材の前記少なくとも一部が直接接合される他の１枚のシート部材の前記上下方向における引っ張り強度が１．６Ｎ／ｃｍ以上である。
【００１４】
請求項７に記載の発明は、請求項１ないし６のいずれかに記載の吸収性物品であって、前記胴周り領域が、前記吸収体の上端よりも上側に位置する。
【００１５】
請求項８に記載の発明は、請求項１ないし７のいずれかに記載の吸収性物品であって、前記胴周り領域の前記上下方向の幅が、５０ｍｍ以下である。
【００１６】
請求項９に記載の発明は、請求項１ないし８のいずれかに記載の吸収性物品であって、前記外装シートが、前記胴部開口の前記エッジにて着用者側に折り返される折り返し部を備え、前記外装シートの前記折り返し部に対向する部位と前記折り返し部との間に、前記第１胴部弾性部材が接合される。
【００１７】
請求項１０に記載の発明は、請求項９に記載の吸収性物品であって、前記折り返し部の下端部が、前記第２胴周り領域の前記３層以上のシート部材に含まれる。
【００１８】
請求項１１に記載の発明は、請求項１ないし１０のいずれかに記載の吸収性物品であって、前記第１胴周り領域の前記上下方向の幅が、前記胴周り領域の前記上下方向の幅の半分以上である。
【００１９】
請求項１２に記載の発明は、請求項１ないし１１のいずれかに記載の吸収性物品であって、前記第２胴部弾性部材が複数の弾性糸を含み、前記複数の弾性糸のうち少なくとも一部の弾性糸が、前記第２胴周り領域の前記３層以上のシート部材のうち最外層のシート部材と前記最外層のシート部材に対向するシート部材との間に配置される。
【００２０】
請求項１３に記載の発明は、請求項１２に記載の吸収性物品であって、前記複数の弾性糸のうち他の一部の弾性糸が、前記第２胴周り領域の前記３層以上のシート部材のうち前記最外層のシート部材を除く２層のシート部材の間に配置される。
【００２１】
請求項１４に記載の発明は、請求項１ないし１１のいずれかに記載の吸収性物品であって、前記第２胴部弾性部材が、前記第２胴周り領域の前記３層以上のシート部材のうち最外層のシート部材を除く２層のシート部材の間に配置され、前記第２胴周り領域において、前記最外層のシート部材と前記最外層のシート部材に対向するシート部材との間が非接合であり、前記胴周り領域の下方において、前記中間弾性部材の少なくとも上端部が、前記最外層のシート部材と前記最外層のシート部材に対向する前記シート部材との間に配置されて接合され、前記第２胴部弾性部材の下端と前記中間弾性部材の上端との間の前記上下方向の距離が３０ｍｍ以下である。
【００２２】
請求項１５に記載の発明は、請求項１ないし１１のいずれかに記載の吸収性物品であって、前記第２胴周り領域の前記３層以上のシート部材が、最外層のシート部材と、最内層のシート部材と、前記最外層のシート部材と前記最内層のシート部材との間に挟まれるとともに上端の前記上下方向の位置が互いに異なる２層のシート部材とを備え、前記第２胴部弾性部材が複数の弾性糸を含み、前記複数の弾性糸のうち一部の弾性糸が、前記最外層のシート部材および前記最内層のシート部材のうちの一方のシート部材と、前記２層のシート部材の一方との間に配置され、前記複数の弾性糸のうち他の一部の弾性糸が、前記一方のシート部材と、前記２層のシート部材の他方との間に配置される。
【発明の効果】
【００２３】
本発明では、胴周り領域の上部の通気性を良くするとともに、胴周り領域における外装シートの破損を抑制することができる。
【図面の簡単な説明】
【００２４】
【図１】一の実施の形態に係る使い捨ておむつの正面図である。
【図２】使い捨ておむつの背面図である。
【図３】展開した状態の使い捨ておむつの平面図である。
【図４】使い捨ておむつの断面図である。
【図５】使い捨ておむつの部分断面図である。
【図６】第２の実施の形態に係る使い捨ておむつの部分断面図である。
【図７】他の使い捨ておむつの部分断面図である。
【図８】他の使い捨ておむつの部分断面図である。
【図９】他の使い捨ておむつの部分断面図である。
【図１０】他の使い捨ておむつの部分断面図である。
【図１１】他の使い捨ておむつの部分断面図である。
【図１２】第３の実施の形態に係る使い捨ておむつの部分断面図である。
【図１３】他の使い捨ておむつの部分断面図である。
【図１４】第４の実施の形態に係る使い捨ておむつの部分断面図である。
【発明を実施するための形態】
【００２５】
図１および図２はそれぞれ、本発明の第１の実施の形態に係る使い捨ておむつ１の正面図および背面図（すなわち、着用者の腹側および背側に位置する部位の図）である。図１および図２に示すように、使い捨ておむつ１は、上端（すなわち、図１および図２中の上側の端部）に胴部開口１１を有し、下部に一対の脚部開口１２を有するパンツタイプの吸収性物品であり、着用者からの排泄物を受ける。
【００２６】
図３は、使い捨ておむつ１を展開した状態で着用者側から見た平面図である。使い捨ておむつ１は、胴部開口１１および一対の脚部開口１２（図１および図２参照）を有する外装シート４、および、外装シート４の内面（すなわち、着用者側の面）上に取り付けられて着用者からの排泄物を吸収する略シート状の吸収体２０を備える。外装シート４は、外装シート本体４０、並びに、外装シート本体４０に接合される脚部弾性部材４３、胴部弾性部材４４および中間弾性部材４５を備える。
【００２７】
使い捨ておむつ１では、図３中の上側の部位が着用者の前側（腹側の肌）を覆い、図３中の下側の部位が着用者の後側（背側の肌）を覆う。以下の説明では、外装シート本体４０の着用者の腹側および背側に位置する部位をそれぞれ、「前方部４０１」および「後方部４０３」と呼び、前方部４０１と後方部４０３との間で前方部４０１および後方部４０３から連続するとともに着用者の股間部を覆う部位を「股下部４０２」と呼ぶ。使い捨ておむつ１では、外装シート４が前方部４０１、股下部４０２および後方部４０３を備え、吸収体２０は、外装シート４の前方部４０１から股下部４０２を経由して後方部４０３へと至る。
【００２８】
使い捨ておむつ１が製造される際には、外装シート４が吸収体２０と共に股下部４０２にて折り曲げられ、股下部４０２を下側に向けた際の前方部４０１の左右両側に位置する帯状の部位４０４の内面と、後方部４０３の左右両側に位置する帯状の部位４０５の内面とが、加熱および押圧による熱融着によりそれぞれ接合される。帯状の部位４０４の内面とは、前方部４０１の着用者に接する面である内面の両側端から側方に連続する面であり、図３中の手前側の面である。また、帯状の部位４０５の内面とは、後方部４０３の着用者に接する面である内面の両側端から側方に連続する面であり、図３中の手前側の面である。
【００２９】
このように、一対の帯状の部位４０４と一対の帯状の部位４０５とが接合されることにより、図１および図２に示すように、前方部４０１の両側端と後方部４０３の両側端とが接続され、前方部４０１および後方部４０３の上端に胴部開口１１が形成される。また、前方部４０１および後方部４０３の下側において股下部４０２の左右に一対の脚部開口１２が形成されるとともに、胴部開口１１と一対の脚部開口１２とのそれぞれの間において上下方向に伸びる一対の帯状突出部１３が形成される。各帯状突出部１３は、前方部４０１と後方部４０３との間の接続線４００から側方へと突出する帯状の部位である。
【００３０】
図４は、使い捨ておむつ１を図３中に示すＡ−Ａの位置（すなわち、股下部４０２）で切断した断面図である。図４では、図示の都合上、使い捨ておむつ１の各構成を離して描いている。図３および図４に示すように、吸収体２０は、略シート状の本体部２、および、本体部２の両側部上（すなわち、上下方向に垂直な左右方向の両側）に配置されて本体部２の長手方向のおよそ全長に亘る一対のサイドシート３を備える。本体部２は、図４に示すように、トップシート２１、バックシート２３、および、トップシート２１とバックシート２３との間に配置された吸収コア２２を備える。図３では、図の理解を容易にするために、吸収体２０の吸収コア２２の輪郭を太破線にて描いている（図１および図２においても同様）。
【００３１】
図３に示すように、吸収コア２２の長手方向の両端部における幅は、吸収コア２２の長手方向の中央部における幅よりも大きい。換言すれば、吸収コア２２は、いわゆる砂時計型である。図４のバックシート２３はホットメルト接着剤等により外装シート４上に接合され、吸収体２０が外装シート４に固定される。
【００３２】
図４に示すように、一対のサイドシート３はそれぞれ、長手方向の全長に亘って設けられた折り曲げ線３９の一方側の部位である帯状の接合部３３、および、折り曲げ線３９の他方側の部位である側壁部３４を備える。一対の接合部３３は、本体部２の側方エッジ近傍において長手方向のおよそ全長に亘って本体部２の上側（すなわち、着用者側）にホットメルト接着剤を用いて接合される。一対の側壁部３４は、折り曲げ線３９である接合部３３の左右方向の外側のエッジにて一対の接合部３３から連続する部位であり、本体部２の両側部上において本体部２の長手方向のおよそ全長に亘って伸びる。
【００３３】
一対の側壁部３４はそれぞれ、長手方向における両端部において接合部３３上に重ねられ、熱融着接合または超音波接合、あるいは、ホットメルト接着剤等による接着により接合部３３上に固定される。側壁部３４の自由端には側壁部弾性部材３５が接合されており、側壁部弾性部材３５が収縮することによりギャザーが形成される。
【００３４】
図５は、使い捨ておむつ１を図３中に示すＢ−Ｂの位置で切断した部分断面図である。図５では、使い捨ておむつ１の前側を示す。使い捨ておむつ１の後側の構造は、図５に示す前側の構造と同様である。図４および図５に示すように、外装シート４の外装シート本体４０は、第１外装シート４１、および、第１外装シート４１の内面上（すなわち、着用者側）に直接的に積層されてホットメルト接着剤等により接合される第２外装シート４２を備える。第２外装シート４２は、その上端４２１に至るまで第１外装シート４１の内面に接合される。
【００３５】
外装シート本体４０は、図５に示すように、第２外装シート４２の内面上に直接的に積層されてホットメルト接着剤等により接合されるエンドシート５をさらに備える。図３に示すように、エンドシート５は、使い捨ておむつ１の左右方向（すなわち、図３中における横方向）に関して外装シート４の幅のおよそ全体に亘って設けられ、図５に示すように、第２外装シート４２との間に、吸収体２０の上端部を挟んで固定する。
【００３６】
第２外装シート４２の上端４２１は、エンドシート５の上端５１と上下方向においておよそ一致しており、第１外装シート４１の上端である胴部開口１１のエッジ１１１から下方に離間する。また、第２外装シート４２の上端４２１、および、エンドシート５の上端５１は、吸収体２０の上端２５よりも上側に位置する。
【００３７】
図４に示す吸収体２０のトップシート２１は、透液性のシート材料であり、着用者からの排泄物の水分を速やかに捕捉して吸収コア２２へと移動させる。トップシート２１としては、例えば、表面を界面活性剤により親水処理した疎水性繊維（ポリプロピレン、ポリエチレン、ポリエステル、ポリアミド、ナイロン等）にて形成された透液性の不織布（ポイントボンド不織布やエアスルー不織布、スパンボンド不織布等）が利用される。なお、トップシート２１として、セルロースやレーヨン、コットン等の親水性繊維により形成された不織布（例えば、スパンレース不織布）が利用されてもよい。
【００３８】
吸収コア２２は、粉砕したパルプ繊維やセルロース繊維等の親水性繊維に粒状の高吸収性ポリマー（ＳＡＰ（Super Absorbent Polymer））や高吸収性ファイバー等の高吸収性材料を混合したものをティッシュペーパーや透液性不織布等により包み込んで形成され、トップシート２１を透過した水分を吸収して迅速に固定する。親水性繊維を包むティッシュペーパーや透液性不織布等は、親水性繊維および吸水性材料とホットメルト接着剤により接合されて、親水性繊維の型崩れ、および、吸水性材料の脱落（特に、吸水後における脱落）を防止する。本実施の形態では、吸収コア２２はパルプ繊維およびＳＡＰを含む。
【００３９】
バックシート２３としては、疎水性繊維にて形成された撥水性または不透液性の不織布（例えば、スパンボンド不織布やメルトブロー不織布、ＳＭＳ（スパンボンド・メルトブロー・スパンボンド）不織布）や、撥水性または不透液性のプラスチックフィルムが利用され、バックシート２３に到達した排泄物の水分等が、本体部２の外側にしみ出すのを防止する。バックシート２３にプラスチックフィルムが利用される場合、使い捨ておむつ１のムレを防止して着用者の快適性を向上するという観点からは、透湿性（通気性）を有するプラスチックフィルムが利用されることが好ましい。
【００４０】
サイドシート３のシート本体としては、疎水性繊維にて形成された撥水性または不透液性の不織布（例えば、スパンボンド不織布やメルトブロー不織布、ＳＭＳ不織布）が利用される。側壁部弾性部材３５としては、例えば、ポリウレタン糸、帯状のポリウレタンフィルム、糸状または帯状の天然ゴム等が利用され、本実施の形態では、ポリウレタン糸が側壁部弾性部材３５として利用される。
【００４１】
図５に示す外装シート本体４０の第１外装シート４１、第２外装シート４２およびエンドシート５としては、バックシート２３と同様に、疎水性繊維にて形成された撥水性または不透液性の不織布（例えば、スパンボンド不織布やメルトブロー不織布、ＳＭＳ不織布）やプラスチックフィルムが利用され、あるいは、これらの不織布とプラスチックフィルムとが積層された積層シートが利用される。プラスチックフィルムとしては、透湿性（通気性）を有するものが利用されることが好ましい。また、第１外装シート４１、第２外装シート４２およびエンドシート５として、トップシート２１と同様に、親水性繊維により形成された不織布や親水処理した疎水性繊維にて形成された透液性の不織布が利用されてもよい。
【００４２】
外装シート４の第１外装シート４１は、胴部開口１１のエッジ１１１にて着用者側に折り返される折り返し部４６を備える。折り返し部４６の下端４６１は、第２外装シート４２の上端４２１、および、エンドシート５の上端５１よりも下側、かつ、吸収体２０の上端２５よりも上側に位置する。第２外装シート４２の上端部４２２およびエンドシート５の上端部５２は、第１外装シート４１の折り返し部４６に対向する部位である対向部４７と、折り返し部４６との間に挟まれ、折り返し部４６は、対向部４７およびエンドシート５の上端部に接合される。
【００４３】
以下の説明では、外装シート４の胴部開口１１のエッジ１１１から折り返し部４６の下端４６１に至る帯状の領域を、「胴周り領域４０６」という。胴周り領域４０６は、胴部開口１１のエッジ１１１に沿って設けられる。本実施の形態では、胴周り領域４０６の上下方向の幅は、５０ｍｍ以下である。上述のように、折り返し部４６の下端４６１は、吸収体２０の上端２５よりも上側に位置するため、胴周り領域４０６も、吸収体２０の上端２５よりも上側に位置する。
【００４４】
また、以下の説明では、胴周り領域４０６の上部であり、折り返し部４６と対向部４７との２層のシート部材が積層されることにより形成される帯状の領域を「第１胴周り領域４０７」という。さらに、胴周り領域４０６の第１胴周り領域４０７以外の領域、すなわち、胴周り領域４０６において第１胴周り領域４０７の下側にて第１胴周り領域４０７に連続する帯状の領域を「第２胴周り領域４０８」という。第２胴周り領域４０８は、第１外装シート４１の折り返し部４６および対向部４７、第２外装シート４２、並びに、エンドシート５の４層のシート部材が積層されることにより形成される。第１胴周り領域４０７の上下方向の幅は、胴周り領域４０６の上下方向の幅の半分以上である。本実施の形態では、第１胴周り領域４０７の上下方向の幅は、第２胴周り領域４０８の上下方向の幅よりも大きい。
【００４５】
胴周り領域４０６には、胴部開口１１のエッジ１１１に沿って胴部弾性部材４４が配置され、図３に示すように、左右方向に延びて前方部４０１および後方部４０３に接合される。使い捨ておむつ１では、胴部弾性部材４４が収縮することにより外装シート本体４０が収縮し、着用者に接する胴部開口ギャザーが形成される。
【００４６】
図５に示すように、胴部弾性部材４４は、第１胴部弾性部材４４３および第２胴部弾性部材４４４を含む。第１胴部弾性部材４４３は、第１胴周り領域４０７において、胴部開口１１のエッジ１１１に略平行に折り返し部４６と対向部４７との間に配置され、折り返し部４６および対向部４７に直接的に接合される。第２胴部弾性部材４４４は、第２胴周り領域４０８において、第１外装シート４１の折り返し部４６および対向部４７、第２外装シート４２、並びに、エンドシート５のうち、隣接する２層のシート部材の間にて第１胴部弾性部材４４３に略平行に配置され、当該２層のシート部材に直接的に接合される。
【００４７】
本実施の形態では、第１胴部弾性部材４４３は、６本の第１弾性糸４４１を含み、第２胴部弾性部材４４４は、２本の第２弾性糸４４２を含む。６本の第１弾性糸４４１および２本の第２弾性糸４４２は、上下方向におよそ等ピッチにて配列され、胴部開口１１のエッジ１１１にそれぞれ略平行に延びる。２本の第２弾性糸４４２は、第２胴周り領域４０８の４層のシート部材のうち最内層（最も着用者側に位置する層）のシート部材である折り返し部４６と、最内層のシート部材に対向するシート部材であるエンドシート５との間に配置されて接合される。
【００４８】
図１および図２に示すように、脚部弾性部材４３は、一対の脚部開口１２のエッジ１２１に沿って配置され、外装シート４の第１外装シート４１と第２外装シート４２（図４参照）との間に接合される。各脚部弾性部材４３の両側の上端部は、前方部４０１および後方部４０３に接合され、各脚部弾性部材４３の両上端部の間の中央部は、外装シート本体４０の股下部４０２に接合される。各脚部弾性部材４３は、複数の脚部弾性糸４３１を含む。使い捨ておむつ１では、脚部弾性部材４３が収縮することにより外装シート本体４０が収縮し、着用者の脚周りに接する脚部ギャザーが形成される。
【００４９】
中間弾性部材４５は、胴部弾性部材４４と脚部弾性部材４３の上端部との上下方向における間の領域に配置され、左右方向に延びて前方部４０１および後方部４０３に接合される。図５に示すように、中間弾性部材４５は、第１外装シート４１と第２外装シート４２との間に配置されて接合される。中間弾性部材４５は、上下方向に配列されるとともに胴部弾性部材４４の第１弾性糸４４１および第２弾性糸４４２に略平行に延びる複数（本実施の形態では、１２本）の中間弾性糸４５１を含む。使い捨ておむつ１では、中間弾性部材４５が収縮することにより外装シート本体４０が収縮し、着用者の下腹部および臀部に接する中間ギャザーが形成される。
【００５０】
本実施の形態では、胴部弾性部材４４の複数の第１弾性糸４４１および複数の第２弾性糸４４２、脚部弾性部材４３の複数の脚部弾性糸４３１（図１および図２参照）、並びに、中間弾性部材４５の複数の中間弾性糸４５１は、ポリウレタン糸である。これらの弾性糸４４１，４４２，４３１，４５１の弾性率および繊度は、互いに異なっていてもよく、等しくてもよい。
【００５１】
使い捨ておむつ１では、第２胴周り領域４０８を形成する４層のシート部材のうち、第２胴部弾性部材４４４が直接的に接合される２層のシート部材である第１外装シート４１の折り返し部４６、および、エンドシート５のそれぞれの左右方向の剛軟度である左右剛軟度が８０ｍｍ以下である。剛軟度の測定条件および測定方法については後述する。好ましくは、折り返し部４６、および、エンドシート５のそれぞれの左右剛軟度は７０ｍｍ以下であり、より好ましくは、６５ｍｍ以下である。また、折り返し部４６の左右剛軟度と上下方向の剛軟度である上下剛軟度との合計（以下、「合計剛軟度」という。）は、好ましくは１３０ｍｍ以下であり、エンドシート５の合計剛軟度も、好ましくは１３０ｍｍ以下である。より好ましくは、折り返し部４６およびエンドシート５のそれぞれの合計剛軟度は１１０ｍｍ以下であり、さらに好ましくは９５ｍｍ以下である。
【００５２】
各シート部材の剛軟度の測定は、ＪＩＳ−Ｌ−１０８６に規定された試験方法（４５°カンチレバー法）にてカンチレバー試験機を用いて行われる。試験片としては、測定対象となるシート部材を、剛軟度を測定する方向（すなわち、左右剛軟度を測定する場合は左右方向、上下剛軟度を測定する場合は上下方向）の長さが１５０ｍｍ、かつ、剛軟度を測定する方向に垂直な方向の幅が２０ｍｍの略矩形状に切断したものが使用される。
【００５３】
使い捨ておむつ１では、また、折り返し部４６およびエンドシート５のそれぞれの上下方向における引っ張り強度（引張強度）は、好ましくは１．６Ｎ／ｃｍ以上である。より好ましくは、当該引っ張り強度は２．０Ｎ／ｃｍ以上であり、さらに好ましくは２．６Ｎ／ｃｍ以上である。
【００５４】
各シート部材の引っ張り強度の測定は、株式会社エー・アンド・ディの「ＴＥＮＳＩＬＯＮ（型番：ＲＴＧ−１２１０）」を測定機器として用いて以下のように行われる。まず、測定対象となるシート部材が切断され、引っ張り強度を測定する方向である上下方向の長さが２５０ｍｍ、かつ、引っ張り強度を測定する方向に垂直な左右方向の幅が５０ｍｍの略矩形の試験片が準備される。続いて、試験片の上下方向の両端部（すなわち、試験片の両短辺近傍の部位）が、測定機器のクランプ部にて把持される。次に、測定機器により試験片が上下方向に引っ張られ、試験片が破断するまで荷重が測定され、試験片に加えられる最大荷重が取得される。そして、当該最大荷重の測定を３回行い、その平均値が試験片の引っ張り強度として取得される。
【００５５】
上述のように、使い捨ておむつ１では、第１胴周り領域４０７が、第１外装シート４１の折り返し部４６および対向部４７の２枚のシート部材が積層されることにより形成される。これにより、第１胴周り領域４０７の通気性を良くすることができ、蒸れを抑制することができる。
【００５６】
使い捨ておむつ１では、折り返し部４６およびエンドシート５のうち少なくとも一方のシート部材（すなわち、第２胴部弾性部材４４４が直接接合される１枚のシート部材）の上記測定条件下における左右剛軟度が８０ｍｍ以下であればよい。これにより、第２胴周り領域４０８の左右剛軟度が小さくなって柔軟性が向上されるため、第２胴周り領域４０８が第２胴部弾性部材４４４の収縮によって収縮しやすくなる。その結果、第２胴周り領域４０８が厚くなって強度が増大するため、使い捨ておむつ１の装着時において胴部開口１１近傍の部位を掴んで引っ張り上げる際等に、胴周り領域４０６における外装シート４の破損（例えば、折り返し部４６のエンドシート５からの剥離や、対向部４７の第２外装シート４２からの剥離）を抑制することができる。
【００５７】
また、上記１枚のシート部材の上記測定条件下における合計剛軟度が１３０ｍｍ以下であることにより、第２胴周り領域４０８が、より収縮しやすくなるため、胴周り領域４０６における外装シート４の破損をより一層抑制することができる。その上、上記１枚のシート部材の上下方向における引っ張り強度が１．６Ｎ／ｃｍ以上であるため、使い捨ておむつ１の胴周り領域４０６が、上下方向に引っ張られて破損することをさらに抑制することができる。
【００５８】
使い捨ておむつ１では、上述のように、折り返し部４６およびエンドシート５の双方の左右剛軟度が８０ｍｍ以下、すなわち、上述の１枚のシート部材に加えて第２胴部弾性部材４４４が直接接合される他のシート部材の左右剛軟度も８０ｍｍ以下であることにより、第２胴周り領域４０８の柔軟性が向上されてより収縮しやすくなる。その結果、第２胴周り領域４０８が厚くなって強度が増大するため、胴周り領域４０６における外装シート４の破損をさらに抑制することができる。
【００５９】
また、上記他の１枚のシート部材の合計剛軟度が１３０ｍｍ以下であることにより、第２胴周り領域４０８が、より収縮しやすくなるため、胴周り領域４０６における外装シート４の破損をより一層抑制することができる。その上、上記他の１枚のシート部材の上下方向における引っ張り強度が１．６Ｎ／ｃｍ以上であるため、使い捨ておむつ１の胴周り領域４０６が、上下方向に引っ張られて破損することをさらに抑制することができる。
【００６０】
使い捨ておむつ１では、上述のように、胴周り領域４０６が吸収体２０の上端２５よりも上側に位置する。これにより、第２胴周り領域４０８の収縮が吸収体２０により阻害されることがないため、第２胴周り領域４０８が収縮しやすく、胴周り領域４０６における外装シート４の破損をより一層抑制することができる。
【００６１】
使い捨ておむつ１では、外装シート４の第１外装シート４１が胴部開口１１のエッジ１１１にて折り返されて折り返し部４６が形成され、胴部弾性部材４４が折り返し部４６と対向部４７との間に配置されて接合される。このように、胴部開口１１のエッジ１１１および一対の帯状突出部１３（図１参照）の上端部が、連続するシート部材の折り目であることにより、シート部材の切断縁である場合に比べて、胴部開口１１のエッジ１１１および帯状突出部１３の肌触りを良くすることができる。また、折り返し部４６の下端部４６２を、第２胴周り領域４０８の４層のシート部材に含めることにより、第２胴周り領域４０８を容易に形成することができる。さらに、２層のシート部材により形成される第１胴周り領域４０７の上下方向の幅が、胴周り領域４０６の上下方向の幅の半分以上であるため、胴周り領域４０６の通気性をより向上することができる。
【００６２】
上述のように、第２胴部弾性部材４４４の２本の第２弾性糸４４２は、第２胴周り領域４０８の４層のシート部材のうち最内層のシート部材（折り返し部４６）と最内層のシート部材に対向するシート部材（エンドシート５）との間に配置されて接合される。このように、折り返し部４６に第２弾性糸４４２が直接的に接合されることにより、胴周り領域４０６の一部に上下方向の力が加えられた際に、折り返し部４６に加えられる力が、第２弾性糸４４２により左右方向に分散される。このように、第２弾性糸４４２が上下方向の力に対して抵抗となることにより、第２胴周り領域４０８において比較的破損しやすい最内層のシート部材である折り返し部４６がエンドシート５から剥離してしまうことを抑制し、胴周り領域４０６における外装シート４の破損をより一層抑制することができる。
【００６３】
使い捨ておむつ１では、第１胴部弾性部材４４３が含む第１弾性糸４４１の本数、および、第２胴部弾性部材４４４が含む第２弾性糸４４２の本数は、適宜変更されてよい。また、第２胴周り領域４０８は、必ずしも４層のシート部材により形成される必要はなく、３層以上のシート部材が積層されることにより形成されていればよい。第１弾性糸４４１および第２弾性糸４４２の本数については、後述する第２ないし第４の実施の形態においても同様であり、第２胴周り領域４０８の層数については、第２および第４の実施の形態においても同様である。
【００６４】
使い捨ておむつ１では、第２胴周り領域４０８を形成する３層以上のシート部材のうち、少なくとも１枚のシート部材の左右剛軟度が８０ｍｍ以下である。そして、第２胴部弾性部材４４４が複数の第２弾性糸４４２を含む場合、複数の第２弾性糸４４２のうち少なくとも一部の第２弾性糸４４２が、上述の左右剛軟度が８０ｍｍ以下のシート部材に直接的に接合される。これにより、当該シート部材に加えられる力が第２弾性糸４４２によって左右方向に分散し、胴周り領域４０６における外装シート４の破損を抑制することができる。
【００６５】
また、好ましくは、上記少なくとも一部の第２弾性糸４４２が直接的に接合される他の１枚のシート部材の左右剛軟度も８０ｍｍ以下である。これにより、胴周り領域４０６における外装シート４の破損をより一層抑制することができる。より好ましくは、複数の第２弾性糸４４２のうち少なくとも一部の第２弾性糸４４２が、第２胴周り領域４０８の４層のシート部材のうち最内層のシート部材（折り返し部４６）と最内層のシート部材に対向するシート部材（エンドシート５）との間に配置されて接合される。このように、比較的破損しやすい最内層のシート部材である折り返し部４６に、第２弾性糸４４２が直接的に接合されることにより、胴周り領域４０６における外装シート４の破損をより一層抑制することができる。
【００６６】
次に、本発明の第２の実施の形態に係る使い捨ておむつについて説明する。図６は、第２の実施の形態に係る使い捨ておむつ１ａの前側の部分断面図であり、使い捨ておむつ１ａの後側の構造も図６と同様である。使い捨ておむつ１ａは、第２胴周り領域４０８において第２胴部弾性部材４４４が直接的に接合されるシート部材が異なる点を除き、図１ないし図５に示す使い捨ておむつ１と同様の構造を有し、以下の説明では、対応する構成に同符号を付す。
【００６７】
図６に示す使い捨ておむつ１ａでは、第２胴部弾性部材４４４が２本の第２弾性糸４４２を含み、２本の第２弾性糸４４２は、第２胴周り領域４０８の４層のシート部材（折り返し部４６、エンドシート５、第２外装シート４２および対向部４７）のうち最外層のシート部材である第１外装シート４１の対向部４７と、最外層のシート部材に対向するシート部材である第２外装シート４２との間に配置されて接合される。このように、対向部４７に第２弾性糸４４２が直接的に接合されることにより、胴周り領域４０６に上下方向の力が加えられた際に、対向部４７に加えられる力に対して第２弾性糸４４２が抵抗となる。その結果、第２胴周り領域４０８において比較的破損しやすい最外層のシート部材である対向部４７が第２外装シート４２から剥離してしまうことを抑制し、胴周り領域４０６における外装シート４の破損を抑制することができる。
【００６８】
使い捨ておむつ１ａでは、２本の第２弾性糸４４２のうち１本の第２弾性糸４４２が、第１外装シート４１の対向部４７と第２外装シート４２との間に配置され、他の１本の第２弾性糸４４２が、図７ないし図１０に示すように、第２胴周り領域４０８の最外層のシート部材である対向部４７を除く２層のシート部材の間に配置されてもよい。図７では、上側の第２弾性糸４４２が、第２外装シート４２とエンドシート５との間に配置されて接合され、図８では、下側の第２弾性糸４４２が、第２外装シート４２とエンドシート５との間に配置されて接合される。これにより、胴周り領域４０６に上下方向の力が加えられた際に、第２外装シート４２とエンドシート５とが剥離してしまうことが抑制され、胴周り領域４０６における外装シート４の破損を抑制することができる。
【００６９】
また、図９では、上側の第２弾性糸４４２が、エンドシート５と最内層の折り返し部４６との間に配置されて接合され、図１０では、下側の第２弾性糸４４２が、エンドシート５と最内層の折り返し部４６との間に配置されて接合される。これにより、胴周り領域４０６に上下方向の力が加えられた際に、折り返し部４６とエンドシート５とが剥離してしまうことが抑制され、胴周り領域４０６における外装シート４の破損を抑制することができる。
【００７０】
上述のように、第２弾性糸４４２の本数、および、第２胴周り領域４０８の層数については適宜変更されてよい。例えば、図１１に示すように、第２胴周り領域４０８は、第１外装シート４１の折り返し部４６と対向部４７との間に第２外装シート４２を挟んだ３層構造であってもよい。図１１では、対向部４７と第２外装シート４２との間に下側の１本の第２弾性糸４４２が配置され、第２外装シート４２と折り返し部４６との間に上側の１本の第２弾性糸４４２が配置されて接合される。
【００７１】
このように、図６ないし図１１に示す使い捨ておむつ１ａでは、第２胴部弾性部材４４４の複数の第２弾性糸４４２のうち少なくとも一部の第２弾性糸４４２が、第２胴周り領域４０８を形成する３層以上のシート部材のうち最外層のシート部材と最外層のシート部材に対向するシート部材との間に配置されることにより、第２胴周り領域４０８において比較的破損しやすい最外層のシート部材が剥離してしまうことを抑制し、胴周り領域４０６における外装シート４の破損を抑制することができる。また、複数の第２弾性糸４４２のうち他の一部が、第２胴周り領域４０８の３層以上のシート部材のうち最外層のシート部材を除く２層のシート部材の間に配置されることにより、当該２層のシート部材が剥離してしまうことを抑制し、胴周り領域４０６における外装シート４の破損をより一層抑制することができる。
【００７２】
次に、本発明の第３の実施の形態に係る使い捨ておむつについて説明する。図１２は、第３の実施の形態に係る使い捨ておむつ１ｂの前側の部分断面図であり、使い捨ておむつ１ｂの後側の構造も図１２と同様である。使い捨ておむつ１ｂは、第２外装シート４２の上端４２１およびエンドシート５の上端５１の上下方向の位置が互いに異なるとともに、第２胴周り領域４０８において第２胴部弾性部材４４４が直接的に接合されるシート部材が異なる。使い捨ておむつ１ｂのその他の構成は、図１ないし図５に示す使い捨ておむつ１と同様であり、以下の説明では、対応する構成に同符号を付す。
【００７３】
図１２に示す使い捨ておむつ１ｂでは、第２外装シート４２の上端４２１がエンドシート５の上端５１よりも上側に位置する（すなわち、胴部開口１１に近い。）。第２胴部弾性部材４４４の２本の第２弾性糸４４２のうち上側の第２弾性糸４４２は、第１外装シート４１の折り返し部４６と第２外装シート４２との間に配置されて接合され、下側の第２弾性糸４４２は、折り返し部４６とエンドシート５との間に配置されて接合される。これにより、エンドシート５および第２外装シート４２が、折り返し部４６から剥離してしまうことを抑制し、胴周り領域４０６における外装シート４の破損を抑制することができる。
【００７４】
使い捨ておむつ１ｂでは、図１３に示すように、エンドシート５の上端５１が第２外装シート４２の上端４２１よりも上側に位置し、第２胴部弾性部材４４４の上側の第２弾性糸４４２が、エンドシート５と対向部４７との間に配置され、下側の第２弾性糸４４２が、第２外装シート４２と第１外装シート４１の対向部４７との間に配置されてもよい。これにより、エンドシート５および第２外装シート４２が、対向部４７から剥離してしまうことを抑制し、胴周り領域４０６における外装シート４の破損をより一層抑制することができる。
【００７５】
このように、図１２および図１３に示す使い捨ておむつ１ｂでは、第２胴部弾性部材４４４の複数の第２弾性糸４４２のうち一部の第２弾性糸４４２が、最内層の折り返し部４６および最外層の対向部４７のうちの一方のシート部材と、折り返し部４６と対向部４７との間に配置されたエンドシート５および第２外装シート４２の一方との間に配置され、複数の第２弾性糸４４２のうち他の一部の第２弾性糸４４２が、折り返し部４６および対向部４７のうちの上記一方のシート部材と、エンドシート５および第２外装シート４２の他方との間に配置される。これにより、エンドシート５および第２外装シート４２が、折り返し部４６と対向部４７との間から脱落してしまうことを抑制し、胴周り領域４０６における外装シート４の破損をより一層抑制することができる。なお、使い捨ておむつ１ｂでは、例えば、エンドシート５と第２外装シート４２との間に他のシート部材が設けられることにより、第２胴周り領域４０８が５層以上のシート部材により形成されてもよい。
【００７６】
次に、本発明の第４の実施の形態に係る使い捨ておむつについて説明する。図１４は、第４の実施の形態に係る使い捨ておむつ１ｃの前側の部分断面図であり、使い捨ておむつ１ｃの後側の構造も図１４と同様である。使い捨ておむつ１ｃでは、第２胴周り領域４０８の全体に亘って、第２外装シート４２の上端部４２２と第１外装シート４１の内面との間が非接合である。使い捨ておむつ１ｃのその他の構成は、図１ないし図５に示す使い捨ておむつ１と同様であり、以下の説明では、対応する構成に同符号を付す。
【００７７】
図１４に示すように、第２胴部弾性部材４４４の２本の第２弾性糸４４２は、折り返し部４６とエンドシート５との間に配置されて接合される。使い捨ておむつ１ｃでは、第２弾性糸４４２の本数は１本でも３本以上でもよく、第２弾性糸４４２は、エンドシート５と第２外装シート４２との間に配置されて接合されてもよい。また、第２外装シート４２は、折り返し部４６、エンドシート５および第２外装シート４２のそれぞれの間に配置されて接合されてもよい。換言すれば、第２胴部弾性部材４４４は、第２胴周り領域４０８の３層以上のシート部材のうち、最外層のシート部材である対向部４７を除く２層のシート部材の間に配置される。
【００７８】
胴周り領域４０６の下方では、中間弾性部材４５の少なくとも上端部、すなわち、中間弾性部材４５の複数の中間弾性糸４５１のうち上端部に配置される１本以上の中間弾性糸４５１が、最外層のシート部材である第１外装シート４１と、第１外装シート４１に対向するシート部材である第２外装シート４２との間に配置されて接合される。本実施の形態では、中間弾性部材４５の全ての中間弾性糸４５１が、第１外装シート４１と第２外装シート４２との間に配置されて接合される。使い捨ておむつ１ｃでは、そして、第２胴部弾性部材４４４の下端と中間弾性部材４５の上端との間、すなわち、最も下側に位置する第２弾性糸４４２と最も上側に位置する中間弾性糸４５１との間の上下方向の距離が３０ｍｍ以下である。
【００７９】
使い捨ておむつ１ｃでは、第２胴周り領域４０８において第１外装シート４１と第２外装シート４２とが非接合であることにより、第２胴周り領域４０８の通気性を向上させることができるとともに、第２胴周り領域４０８の肌触りを良くすることができる。また、第１外装シート４１と第２外装シート４２とが非接合とされる領域の下方において、当該領域に近接する位置（すなわち、間の距離が３０ｍｍ以内の位置）にて中間弾性部材４５を第１外装シート４１に接合することにより、第２胴周り領域４０８等において第１外装シート４１が破損してしまうことを抑制し、胴周り領域４０６における外装シート４の破損をより一層抑制することができる。
【００８０】
以上、本発明の実施の形態について説明してきたが、本発明は上記実施の形態に限定されるものではなく、様々な変更が可能である。
【００８１】
例えば、第１外装シート４１は、必ずしも折り返し部４６を備える必要はなく、折り返し部４６と同様の形状であり、かつ、第１外装シート４１とは連続しないシート部材が、上端を第１外装シート４１の上端とおよそ一致させて折り返し部４６と同じ位置に接合されてもよい。この場合、当該シート部材および第１外装シート４１の上端から当該シート部材の下端までが胴回り領域４０６となる。胴周り領域４０６の上下方向の幅や、当該幅に対する第１胴周り領域４０７の上下方向の幅の割合は、適宜変更されてよい。
【００８２】
脚部弾性部材４３、胴部弾性部材４４および中間弾性部材４５としては、サイドシート３の側壁部弾性部材３５と同様に、例えば、帯状のポリウレタンフィルム、糸状または帯状の天然ゴム等が利用されてもよい。
【００８３】
上述の使い捨ておむつ１の構造は、使い捨ておむつ以外のパンツタイプの吸収性物品に利用されてもよい。
【００８４】
上記実施形態および各変形例における構成は、相互に矛盾しない限り適宜組み合わされてよい。
【符号の説明】
【００８５】
１，１ａ〜１ｃ    使い捨ておむつ
４    外装シート
５    エンドシート
１１    胴部開口
１２    脚部開口
２０    吸収体
２５    （吸収体の）上端
４１    第１外装シート
４２    第２外装シート
４３    脚部弾性部材
４４    胴部弾性部材
４５    中間弾性部材
４６    折り返し部
４７    対向部
５１    （エンドシートの）上端
１１１    （胴部開口の）エッジ
１２１    （脚部開口の）エッジ
４０１    前方部
４０２    股下部
４０３    後方部
４０６    胴周り領域
４０７    第１胴周り領域
４０８    第２胴周り領域
４２１    （第２外装シートの）上端
４４２    第２弾性糸
４４３    第１胴部弾性部材
４４４    第２胴部弾性部材
４６２    （折り返し部の）下端部
【図１】
0006009800.tif 000002
【図２】
0006009800.tif 000003
【図３】
0006009800.tif 000004
【図４】
0006009800.tif 000005
【図５】
0006009800.tif 000006
【図６】
0006009800.tif 000007
【図７】
0006009800.tif 000008
【図８】
0006009800.tif 000009
【図９】
0006009800.tif 000010
【図１０】
0006009800.tif 000011
【図１１】
0006009800.tif 000012
【図１２】
0006009800.tif 000013
【図１３】
0006009800.tif 000014
【図１４】
0006009800.tif 000015